(57)【要約】【課題】着衣者の体力を向上する下衣を提供する。【解決手段】下衣本体と、下衣本体の、着衣者の腰に対応する位置に設けられた伸縮可能な帯状のベルトとを備え、前記ベルトは、両端に係止部を設け、両係止部を係止することにより、前記ベルトが環状に形成される、下衣。【選択図】図１
0003162688.tif 000002
【実用新案登録請求の範囲】
【請求項１】
下衣本体と、
下衣本体の、着衣者の腰に対応する位置に設けられた伸縮可能な帯状のベルトとを備え、
前記ベルトは、両端に係止部を設け、
両係止部を係止することにより、前記ベルトが環状に形成される、下衣。
【請求項２】
前記下衣本体は、着衣者の腰に対応する位置に管状部を形成し、
前記ベルトは、少なくとも両係止部が管状部から露出するように、前記管状部内に収められている、請求項１に記載の下衣。
【請求項３】
前記ベルトは、前記下衣本体に対して、長手方向に移動自在に配置されている請求項１又は２に記載の下衣。
【請求項４】
前記ベルトは、その一部が前記下衣本体に固定されている請求項１又は２に記載の下衣。
【考案の詳細な説明】
【技術分野】
【０００１】
本考案は、運動時等に着用する下衣に関する。
【背景技術】
【０００２】
子供の成長にとって体力の維持および向上は重要な意味を有する。体力は、身体的能力の形成の基礎となるだけでなく、健康維持のためにも重要であり、また体力の低下が気力の低下に繋がる場合もあり、精神面にも影響する。
【０００３】
１９８０年代以降、子供たちの体力低下が社会的な問題となっている。「姿勢の悪化」はその問題の要因の１つと考えられる。すなわち、姿勢の悪化に起因して、体幹、特に背筋の筋力が低下した結果、体力低下が進行したと考えられる。
【０００４】
特許文献１には、骨盤の歪み調整のための、伸長率の小さい細幅且つ薄厚の帯状弾性ベルトが開示されている。
【先行技術文献】
【特許文献】
【０００５】
【特許文献１】特開２００５−３０４６４５号公報
【考案の概要】
【考案が解決しようとする課題】
【０００６】
本考案の目的は、着衣者の体力を向上する、トレーニングパンツ等の下衣を提供することにある。
【課題を解決するための手段】
【０００７】
本考案の下衣は、下衣本体と、下衣本体の、着衣者の腰に対応する位置に設けられた伸縮可能な帯状のベルトを備え、前記ベルトは、両端に係止部を設け、両係止部を係止することにより、前記ベルトが環状に形成されることを特徴とする。
【考案の効果】
【０００８】
本考案によれば、着衣者の腰に対応する位置に伸縮性のあるベルトを備えているため、着用した際に着衣者の骨盤を起こして姿勢の改善を促し、体幹を使った運動を促進させることができる。
【図面の簡単な説明】
【０００９】
【図１】本考案の一実施形態の下衣の前面を示す図。
【図２】本考案の一実施形態の下衣の側面を示す図。
【図３】本考案の一実施形態の下衣の係止部を示す図。
【考案を実施するための形態】
【００１０】
図１および図２は、本考案の一実施形態の下衣の外観を示す図である。図１は下衣の前面、図２は下衣の側面をそれぞれ示している。また、図３は、本考案の一実施形態の下衣の係止部を示す図である。図３では、係止部が係止されていない状態を示す。
【００１１】
図１に示されるように、本考案の実施形態に係る下衣１０は、下衣本体１３と、下衣ウエスト部１４とから成る。さらに、下衣ウエスト部１４には、伸縮可能な帯状のベルト１１が設けられている。ベルト１１の両端には係止部１２が設けられている。両端の係止部１２を係止させることで、ベルト１１を環状に形成することができる。
【００１２】
本考案の実施形態において、下衣１０は任意の下衣とすることができる。例えば、下衣１０は、日常的に使用する下衣であってよい。例えば、スラックス、ジーンズ、チノパン、カーゴパンツ等であってよい。また、下衣１０は、運動時に使用する下衣であってよい。例えば、トレーニングパンツ、ジャージ、スウェットパンツ等であってよい。さらに、下衣１０は、特定の運動やスポーツを行う際に着用されるような専用の下衣であってよい。例えば、水着、ユニフォーム等であってよい。下衣１０の丈の長さに限定はなく、いわゆる、半ズボン、ハーフパンツまたは長ズボン等であってよい。
【００１３】
下衣ウエスト部１４は、着衣者の腰の位置に対応する。下衣ウエスト部１４は、ベルト１１を締め付けて調節する際のダブつきを抑えるために、リブ編み素材とすることができる。
【００１４】
ベルト１１は、下衣本体１３に対して任意の方法で備え付けることができる。
【００１５】
例えば、図１および２に示されるように、下衣本体１３の腰に対応する位置に管状部を形成し、その内部にベルト１１を通すことが出来る。この場合、ベルト１１の全体を管状部内部に収めることもできるが、ベルト１１の一部を管状部から露出させることもできる。例えば、図１のように、管状部の一部に２つのスリットを設け、このスリットからベルト１１を管状部の外部に露出させることができる。特に、少なくとも両係止部１２を管状部から露出させることが好ましい。この場合、図３に示されるように、係止部１２の係止の調節が管状部の外部で容易に行うことができる。
【００１６】
あるいは、管状部を形成することなく、ベルト１１を下衣本体１３に備え付けることもできる。例えば、下衣本体１３に複数のベルト通しを備え付けて、それらの内側にベルト１１を通すことで、下衣本体１３にベルト１１を保持させることができる。
【００１７】
ベルト１１は、下衣本体１３に対して、長手方向に移動自在に配置させることができる。例えば、下衣本体１３に管状部を形成する場合、ベルト１１を管状部内で自由に回転できるようにすることができる。あるいは、ベルト１１は、少なくともその一部を下衣本体１３に対して固定させることもできる。例えば、下衣本体１３に管状部を形成して、その内部にベルト１１を通すものの、ベルト１１の一部または全部を下衣本体１３に固定することができる。または、下衣本体１３に管状部を形成せず、下衣本体１３の表面にベルト１１を固定させることもできる。固定は、例えば、縫い付けることによって行うことができる。
【００１８】
ベルト１１の形状は帯状である。そのサイズは、例えば、長さを７５ｃｍから９１ｃｍ、幅を２ｃｍ〜１０ｃｍ、厚さを１ｍｍから５ｍｍとすることができる。また、ベルト１１は一定の伸縮性を有する。ベルト１１の素材としては、タックゴム等を使用することができる。このような寸法を有し、伸縮性のあるベルト１１を使用することにより、下衣１１を着用した着衣者の腰または骨盤を最適な状態で締め付けることが可能となる。
【００１９】
係止部１２は、係止した状態（例えば図１）と係止を解いた状態（例えば図３）とを自由に調節できるものが使用される。特に、係止部１２は、下衣１０が着用された際、着衣者の動きに応じてベルト１１に一定の力が加わった場合であっても、係止した状態を維持できることが好ましい。また、係止部１２は、係止の状態を多段階または無段階に調節でき、環状に形成されたベルト１１の円周の長さを着衣者に合わせて変更可能でするものであることが好ましい。これによって、ベルト１１による腰または骨盤の締め付け具合を調節できる。係止部１２としては、例えば、面ファスナー（一般的に、マジックテープ（登録商標）と呼ばれる）やバックル等を使用することができる。特に、着衣者の運動性の観点から、軽量で柔軟な材料で作られる面ファスナーを係止部１２とすることが好ましい。
【００２０】
下衣本体１３は、ベルト１１を備え付けるための構造を有している限り、任意の形状または素材とすることができる。例えば、下衣本体１３の素材としてポリエステル、綿交編素材等を使用することができる。特に、着衣者の運動性の観点から、トレーニングに適した素材を使用することが好ましい。
【００２１】
本発明の実施形態に係る下衣１０は、通常の下衣と同様に着用した後、ベルト１１の調整を適宜行う。すなわち、両足を通してはいた後、ベルト１１が適度な強度で腰または骨盤を締め付けるように調節して、係止部１２を係止させる。
【００２２】
本発明の実施形態に係る下衣１０を使用することで、骨盤を起こし、体幹を意識した運動を促進することが可能になる。これにより、姿勢が改善され、大きな筋肉が使われやすくなり、運動機能を向上することが可能となる。
【符号の説明】
【００２３】
１０…下衣、１１…ベルト、１２…係止部、１３…下衣本体、１４…下衣ウエスト部。
【図１】
0003162688.tif 000003
【図２】
0003162688.tif 000004
【図３】
0003162688.tif 000005